(57)【要約】【課題】使用者に不快感を与えることなく、特に三脚台や冷却アクセサリ取付け時に、より高い放熱効果が得られることを可能にしたカメラを提供すること。【解決手段】撮像装置１を三脚台等に固定するための三脚穴３８ａを備えた接続用金属部材３８と、発熱源と前記接続用金属部材３８を接続する伝熱部材３７と、前記接続用金属部材３８に対向し外観に露出した面を有する放熱用金属部材３９とを有し、撮像装置１を三脚台等に固定するための三脚ねじを締め込むことにより、前記接続用金属部材３８が移動して前記放熱用金属部材３９と接触し、放熱経路を構成することを特徴とする撮像装置。【選択図】  図１
2015203815.tif 000002
【特許請求の範囲】
【請求項１】
撮像装置１を三脚台に固定するための三脚穴３８ａを備えた接続用金属部材３８と、発熱源と前記接続用金属部材３８を接続する伝熱部材３７と、前記接続用金属部材３８に対向し外観に露出した面を有する放熱用金属部材３９とを有し、撮像装置１を三脚台に固定するための三脚ねじを締め込むことにより、前記接続用金属部材３８が移動して前記放熱用金属部材３９と接触し、放熱経路を構成することを特徴とする撮像装置。
【請求項２】
撮像装置１を三脚台に固定するための三脚穴３８ａを備えた接続用金属部材３８と、発熱源と前記接続用金属部材３８を接続する伝熱部材３７と、前記接続用金属部材３８に対向し外観に露出した面を有する放熱用金属部材３９とを有し、撮像装置１を三脚台に固定するための三脚ねじを締め込むことにより、前記接続用金属部材３８が移動すると共に、前記伝熱部材３７が前記放熱用金属部材３９と接触し、放熱経路を構成することを特徴とする撮像装置。
【請求項３】
前記接続用金属部材３８の前記放熱用金属部材３９の間に、前記接続用金属部材３８を付勢するための付勢用弾性部材４０を有し、前記付勢用弾性部材４０は前記三脚穴３８ａを中心に点対称に配置され、前記付勢用弾性部材４０と接触する前記接続用金属部材３８と前記放熱用金属部材３９のうち、少なくとも一方の接触面は凹形状４１となっていることを特徴とする請求項１又は請求項２に記載の撮像装置。
【請求項４】
前記付勢用弾性部材４０は前記三脚穴３８ａを中心として円形形状であることを特徴とする請求項３に記載の撮像装置。
【発明の詳細な説明】
【技術分野】
【０００１】
本発明は、撮像装置の構成に関し、特に撮像装置を三脚台に固定するための三脚穴を備えた撮像装置の放熱構成に関するものである。
【背景技術】
【０００２】
近年、デジタルカメラやビデオカメラに代表される撮像装置（以下カメラと称する）では高画素化、高機能化に伴い、カメラ全体の消費電力が増加し、カメラ内の温度が上昇する傾向にある。カメラ内の温度が高くなると、画質の低下を引き起こす要因となるため、カメラの画像撮影や動画撮影等の動作をストップするといった対策が取られている。但し、このような対策はユーザー視点で望ましい動作ではない。したがって、カメラは発熱源となる画像処理用集積回路や撮像センサなどから発生した熱をカメラ外部へ逃がすための高い放熱性を有することが望ましい。
【０００３】
さらにカメラを三脚台等に固定して撮影を行う場合には、手持ちでの撮影に比べて、より長時間の動画撮影や連続撮影等を行うことが想定される。そして長時間カメラを動作させるとカメラ内の温度が高くなり、カメラの動作がストップする可能性はより大きくなる。したがって、カメラを三脚台等に固定して撮影を行う場合には、より高い放熱性を有することが好ましい。
【０００４】
そこで、従来のカメラでは画像処理用集積回路や撮像センサなどから発生した熱を、カメラを三脚台に固定するための三脚穴を利用して外部に放熱する構成が提案されている。特許文献１では、撮像素子裏面に放熱板を有し、三脚穴を備え放熱部を有する接続用金属部材が、放熱板と熱伝導的に接続された放熱構造のカメラが開示されている。また、特許文献２では、発熱源は三脚穴等を備えた接続用部材と熱伝導的に接続され、かつ接続用部材には筐体から延出した樹脂製のカバー体が被さる放熱構造を有する携帯機器が開示されている。
【先行技術文献】
【特許文献】
【０００５】
【特許文献１】特開２００６―２１１０９１号公報
【特許文献２】特許第４８６９１８１号明細書
【発明の概要】
【発明が解決しようとする課題】
【０００６】
しかし、上述の特許文献１においては、カメラ放熱部が高温となる可能性があり、使用者の指がカメラの放熱部に触れた場合に不快感を与える可能性がある。また、特許文献２においては、使用者に不快感を与えることはないが、三脚穴のねじ部以外は全てカバー部材で覆われているため放熱効果が小さくなってしまう。
そこで、本発明の目的は、使用者に不快感を与えることなく、特に三脚台や冷却アクセサリ取付け時に、より高い放熱効果が得られることを可能にしたカメラを提供することである。
【課題を解決するための手段】
【０００７】
上記目的を達成するための本発明に係る撮像装置の構成は、撮像装置１を三脚台等に固定するための三脚穴３８ａを備えた接続用金属部材３８と、発熱源と前記接続用金属部材３８を接続する伝熱部材３７と、前記接続用金属部材３８に対向し外観に露出した面を有する放熱用金属部材３９とを有し、撮像装置１を三脚台等に固定するための三脚ねじを締め込むことにより、前記接続用金属部材３８が移動して前記放熱用金属部材３９と接触し、放熱経路を構成することを特徴とする。
【発明の効果】
【０００８】
本発明によれば、使用者に不快感を与えることなく、特に三脚座や冷却アクセサリ取付け時に、より高い放熱効果が得られることを可能にしたカメラを提供することができる。
【図面の簡単な説明】
【０００９】
【図１】本発明の実施例１に係るカメラ１の一例の構成を示すブロック図である。
【図２】本発明の実施例１に係るカメラ１の一例の正面・背面斜視図である。
【図３】本発明の実施例１に係るカメラ１の一例の断面図である。
【図４】本発明の実施例１に係る放熱経路部品に関する正面・背面斜視図である。
【図５】本発明の実施例１に係る三脚穴部における、拡大断面図である。
【図６】本発明の実施例１に係る三脚穴部の放熱経路部品に関する上面図である。
【図７】本発明の実施例２に係る三脚穴部における、拡大断面図である。
【発明を実施するための形態】
【００１０】
以下に、本発明の好ましい実施の形態を、添付の図面に基づいて詳細に説明する。
【実施例１】
【００１１】
まず、図１、２を参照して、本発明の第１の実施例の主な構成を説明する。図１はカメラ１の内部構成を示すブロック図である。また、図２はカメラ１の外観図を示したもので、（ａ）は正面斜視図、（ｂ）は背面斜視図をそれぞれ示している。
【００１２】
カメラ１の正面にはレンズユニット２が設けられ、レンズユニット２から入射した光は、カメラ１の内部にある撮像手段３に結像するよう構成されている。撮像手段３はレンズユニット２のすくなくとも光軸方向に位置調整可能に弾性部材もしくはワッシャを介してカメラ１の本体に保持されている。
【００１３】
レンズユニット２と撮像手段３の間には、光学ファインダー４へ光を反射するメインミラー５とシャッター６が配置されている。メインミラー５により反射された光は、焦点板７に結像されてペンタプリズム８により光学ファインダー４へ導かれるとともに、露出検出手段９へ分光される。また、メインミラー５はハーフミラーとなっており、透過した一部の光はメインミラー５に回動可能に取り付けられたサブミラー１０に反射され、焦点検出手段１１に入光する。
【００１４】
ユーザーがレリーズ釦１２を半押し（ＳＷ１）すると、露出検出手段９による測光、焦点検出手段１１による測距およびレンズユニット２内のレンズ駆動手段１３によるフォーカスレンズ１４の駆動が開始される。つぎにユーザーがレリーズ釦１２を全押し（ＳＷ２）すると撮像手段３の前面に配置しているメインミラー５およびシャッター６が駆動し、レンズユニット２からの光が撮像手段３へ入光する。そして撮像手段３は電荷蓄積および電荷読み出し動作を開始させる露光動作を行う。
【００１５】
そして、カメラ１の側面に設けられた画像記録読込手段１５に装着されている記録媒体１６に撮影画像を記録保存する。記録媒体１６に保存された画像は、カメラ１の背面の画像再生釦１７を押すことで、表示装置１８に表示される。
【００１６】
つぎに本実施形態のカメラ１は、カメラ１全体の制御を司るシステム制御回路１９を有する。
【００１７】
システム制御回路１９は、ＣＰＵやＭＰＵ等により構成され、後述する各回路等の動作を制御する。測距が開始されるとシステム制御回路１９は焦点検出手段１１からの出力をもとにレンズ駆動手段１３を制御し、フォーカスレンズ１４を光軸方向に駆動して焦点合わせを行う。また、システム制御回路１９は露光制御部２０によりレンズユニット２内の絞り２１、メインミラー５、シャッター６およびタイミングジェネレータ２２を制御する。
【００１８】
メインミラー５はレンズから撮像手段３への光路より退避するアップ位置に駆動可能で、サブミラー１０もメインミラー５に対して折り畳まれて撮影光路外に退避する。
【００１９】
シャッター６は、先幕および後幕を有して構成されており、レンズユニット２からの光束の透過および遮断を制御する。測光が開始されるとシステム制御回路１９は露出検出手段９からの出力とユーザーが事前に設定した撮影条件に応じて絞りおよびシャッタースピードの値を決定する。撮影条件の設定方法については後述する。
【００２０】
レリーズ釦１２（ＳＷ２）により撮影動作が開始されるとシステム制御回路１９は露光制御部２０により絞り２１を決定された値に制御する。また、システム制御回路１９は決定されたシャッタースピードに応じ露光制御部２０によりメインミラー５およびサブミラー１０をアップ／ダウン駆動させ、シャッター６の先幕および後幕の走行駆動を制御する。また、システム制御回路１９は露光制御部２０によりタイミングジェネレータ２２から撮像手段３を駆動する際に必要なパルス信号を出力させる。
【００２１】
撮像手段３はタイミングジェネレータ２２から出力されたパルス信号に応じ電荷蓄積および電荷読み出し動作を行う。
【００２２】
撮像手段３から読み出された電荷はＡ／Ｄ変換回路２３によりデジタル化され、画像処理回路２４へ送られる。送られた画像は画像処理回路２４内の画像処理部２５によりホワイトバランス調整や画像圧縮処理等を行われ、記録制御部２６により画像記録読込手段１５を介し記録媒体１６に記録保存される。記録媒体１６は一般的なＳＤカードやＣＦカードなどである。
【００２３】
記録媒体１６に保存した撮影画像は、画像再生釦１７を押すことで画像記録読込手段１５により画像処理回路２４内の表示制御部２７に読み込まれ、Ｄ／Ａ変換回路２８によりアナログ化され表示装置１８に表示される。
【００２４】
なお、本発明においては、レンズユニット２はフォーカスレンズ１４のみの記載であるが、ズームレンズを有するものなどでもよく、一体型もしくは取替え可能な別体型の構成としてもよい。また、メインミラー５、サブミラー１０およびペンタプリズム８を省き、シャッター６を撮像手段３による電子シャッターとし、光学ファインダー４の代わりにＥＶＦ（電子ファインダー）もしくは表示装置１８に表示するＬＶモードの構成にしてもよい。このとき、露出検出手段９の代わりに撮像手段３が露出検出を行う。上述したこれらの構成に関しては公知であるため詳細な説明は省略する。
【００２５】
つぎに撮影条件の設定方法について説明する。操作部材である撮影モード選択手段２９は撮影モードを設定することができ、例えば自動露出モード、絞り優先露出モード（Ａｖ）、シャッタースピード優先露出モード（Ｔｖ）、マニュアルモード（Ｍ）、バルブモード（Ｂ）を設定できる。
【００２６】
自動露出モードに設定した場合は、ダイヤル操作部材である露出設定手段３０により撮影者が任意に適正露出を補正することができ、絞り値およびシャッタースピードは撮影時にその適正露出になるように自動で決定される。絞り優先露出モード（Ａｖ）、シャッタースピード優先露出モード（Ｔｖ）、マニュアルモード（Ｍ）を設定した場合は、絞り設定手段３１およびシャッタースピード設定手段３２により、絞り値およびシャッタースピードを任意に設定できる。
【００２７】
バルブモードを設定した場合は、レリーズ釦１２（ＳＷ２）を押すと撮影を開始し、レリーズ釦１２（ＳＷ２）を押している間は露光し続け、レリーズ釦１２（ＳＷ２）を離すと露光終了し、撮影中にシャッタースピードが決定できる。
【００２８】
次に図３、図４を参照して、本発明の特徴である撮像装置の放熱構成について説明する。図３は図２（ａ）のカメラ１の中央断面図である。また図４（ａ）は放熱経路部品の正面斜視図、図４（ｂ）は放熱経路部品の背面斜視図である。
【００２９】
撮像手段３は前面に撮像面３ａを有する。撮像手段３は背面にリード３ｂを有し、回路基板３４と接続される。またリード３ｂの代わりにＢＧＡ（Ｂａｌｌ  Ｇｒｉｄ  Ａｒｒａｙ）等を用いて接続しても良い。回路基板３４はフレキシブルプリント配線板３５によって本体基板３６と接続される。また、回路基板３４は放熱シート３７によって三脚穴３８ａを備えた接続用金属部材３８と熱伝導的に接続されており、撮像手段３で発生した熱は放熱シート３７を介して接続用金属部材３８へと移動する。ここでは放熱シート３７はグラファイトシートや金属箔等の熱伝導率の高い部材で作製されている。そして、接続用金属部材３８に対向する面には、外観に露出する放熱用金属部材３９が配置される。
【００３０】
次に図５を参照して、カメラ１を三脚台に取り付けたときの接続用金属部材３８の動作とそのときの放熱経路について説明する。図５（ａ）は三脚ねじを締め込んでいない場合の三脚穴３８ａの拡大断面図である。また図５（ｂ）は三脚ねじが締め込まれた場合の三脚穴３８ａの拡大断面図である。
【００３１】
接続用金属部材３８はカメラを三脚台（図示せず）に固定するための三脚ねじ（図示せず）を締め込むことにより、図５の矢印ｄで示される方向に移動可能に保持されている。
【００３２】
まず、三脚ねじを締め込んでいない場合、接続用金属部材３８は図５（ａ）に示された状態となる。接続用金属部材３８は付勢用弾性部材４０によって図５（ａ）の矢印ｄとは逆の方向に付勢される。このとき、接続用金属部材３８は放熱用金属部材３９と接触していないため、放熱用金属部材３９に撮像手段３からの熱は伝わらない。したがって、カメラ１を手で持って使用している場合に、使用者が放熱用金属部材３９に触れても、使用者に不快感を与えることを防ぐことが出来る。またこのとき、接続用金属部材３８は外観に露出していないため使用者は触れることができない。したがって、使用者が接続用金属部材３８に触れて不快感を覚えることはない。
【００３３】
次に、三脚等にカメラ１が取り付けられ、三脚ねじが締め込まれた場合、図５（ｂ）に示された状態となる。接続用金属部材３８は三脚ねじを締め込むことにより、図５（ａ）の状態から矢印ｄの方向へと移動し、図５（ｂ）に示されるような放熱用金属部材３９と接触した状態となる。このとき付勢用弾性部材４０  は圧縮されながら、接続用金属部材３８の半抜き部４１に退避する形で収まるため、接続用金属部材３８と放熱用金属部材３９の接触を妨げない。またこのとき、放熱用金属部材３９の外観露出面には三脚台、もしくは冷却アクセサリ等（図示せず）が取り付けられており、外観に露出しないため、使用者が触れて不快感を覚えることはない。
【００３４】
次に図６を参照して、付勢用弾性部材４０について説明する。図６は、接続用金属部材３８と放熱用金属部材３９を上面から見た図である。また図の破線で示されるように、付勢用弾性部材４０  は三脚穴３８ａを中心として円形状に配置される。こうすることで、付勢用弾性部材４０は三脚穴３８ａを中心として対称に付勢力を保つことができる。また、付勢用弾性部材４０は接続用金属部材３８と外観部との隙間４２から入ってくる光線や水分などを遮断する役割も担っている。
【００３５】
以上、上述したように、撮像手段３で発生した熱は放熱シート３７によって接続用金属部材３８に伝えられ、さらに三脚台に固定することで放熱用金属部材３９へと伝えられる。そして放熱用金属部材３９からは三脚台へと放熱することが出来る。これにより撮像手段３で発生した熱を効率的にカメラの外へ放熱することが出来る。さらに、冷却アクセサリ等を取り付けた場合にはより効果的に放熱を行うことが出来る。
【実施例２】
【００３６】
次に図７を参照して、本発明の第２の実施例による、撮像装置の放熱構成について説明する。図７（ａ）は第２の実施例において、三脚ねじが締め込まれた場合の三脚穴３８ａの拡大断面図である。また図７（ｂ）は三脚ねじが締め込まれた場合の接続用金属部材３８と放熱シート３７の位置関係を示す拡大断面図である。
【００３７】
図７（ｂ）に示すように、放熱シート３７は三脚ねじが締め込まれた場合に接続用金属部材３８と放熱用金属部材３９に挟まれる位置に配置される。これにより、放熱シート３７が放熱用金属部材３９に直接接触するため、撮像手段３からの熱を三脚台により伝えやすくすることが出来る。これにより撮像手段３で発生した熱をより効率的にカメラの外へ放熱することが出来る。さらに、冷却アクセサリ等を取り付けた場合にはより効果的に放熱を行うことが出来る。
【００３８】
以上、本発明の好ましい実施形態について説明したが、本発明はこれらの実施形態に限定されず、その要旨の範囲内で種々の変形及び変更が可能である。
【符号の説明】
【００３９】
１  カメラ、３７  伝熱部材、３８ａ  三脚穴、３８  接続用金属部材、
３９  放熱用金属部材、４０  付勢用弾性部材
【図１】
2015203815.tif 000003
【図２】
2015203815.tif 000004
【図３】
2015203815.tif 000005
【図４】
2015203815.tif 000006
【図５】
2015203815.tif 000007
【図６】
2015203815.tif 000008
【図７】
2015203815.tif 000009